【事件の表示】
　特願２００５−１６７５１８「半結晶性重合体および脂肪相中の重合体粒子分散体を含む化粧品用組成物」拒絶査定不服審判事件〔平成１７年１２月２２日出願公開、特開２００５−３５０４６５〕について、次のとおり審決する。
【結　論】
　本件審判の請求は、成り立たない。
【理　由】
第１　手続の経緯
　本願は，平成１７年６月７日（パリ条約による優先権主張　２００４年６月８日，（ＦＲ）フランス国）の出願であって，平成１９年８月２７日付けで拒絶査定がなされ，これに対し，平成１９年１２月３日に拒絶査定不服審判の請求がされるとともに，同年１２月２８日付けで手続補正がなされ，平成２２年１０月１９日付けの審尋に対し，平成２３年４月１９日付けで回答書が提出されたものである。
　
第２　平成１９年１２月２８日付けの手続補正の補正却下の決定
［補正却下の決定の結論］
　平成１９年１２月２８日付けの手続補正を却下する。
　
［理由］
１　補正後の本願発明
　平成１９年１２月２８日付けの手続補正は特許請求の範囲を補正するものであって，平成１９年７月３０日付け誤訳訂正書により補正された特許請求の範囲の請求項１に「少なくとも1種の脂肪相と，前記脂肪相に分散させた少なくとも1種の重合体の粒子の分散体と，融点が30℃以上の少なくとも1種の有機構造の半結晶性重合体とを含む化粧品用組成物であって，前記脂肪相が揮発性油を含まない，あるいは前記脂肪相の重量に対して揮発性油を50重量%未満含むこと，および，
前記半結晶性重合体が，ポリエステル縮合重合体，または，C14〜C24の飽和アルキル(メタ)アクリル酸エステル，C11〜C15のペルフルオロアルキル(メタ)アクリル酸エステル，フッ素原子を含むあるいは含まないC14〜C24のN-アルキル-(メタ)アクリルアミド，C14〜C24のアルキル鎖もしくはペルフルオロアルキル鎖を含むビニルエステル，C14〜C24のアルキル鎖もしくはペルフルオロアルキル鎖を含むビニルエーテル，C14〜C24のα-オレフィン，12〜14個の炭素原子を含むアルキル基を有するpara-アルキルスチレンから選択される，少なくとも1種の単量体の重合によって生じる単独重合体もしくは共重合体であることを特徴とする化粧品用組成物。」
とあったのを，
「少なくとも1種の脂肪相と，前記脂肪相に分散させた少なくとも1種の重合体の粒子の分散体と，融点が30℃以上の少なくとも1種の有機構造の半結晶性重合体とを含む化粧品用組成物であって，
前記脂肪相が揮発性油を含まな
いこ
前記半結晶性重合体が，
ポリアクリル酸ステアリル
　上記補正は，請求項１に記載した発明を特定するために必要な事項である「脂肪相」について「揮発性油を含まない」ものに限定し，同じく「半結晶性重合体」について「ポリアクリル酸ステアリル」と限定するものであるから，平成１８年法律第５５号改正附則第３条第１項によりなお従前の例によるとされる同法による改正前の特許法第１７条の２第４項第２号の特許請求の範囲の減縮を目的とするものに該当する。
　そこで，本願補正発明が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
２　引用刊行物およびその記載事項
　原査定で引用され，本願優先権主張日前に頒布された刊行物である刊行物１ないし３，並びに本願優先権主張日前に頒布された刊行物である刊行物４には，以下の事項が記載されている。（以下，下線は当審で付加した。）
　刊行物１：特開２００２−３３２２１２号公報（原査定の刊行物１）
　刊行物２：特開２００２−２９９２２号公報（原査定の刊行物２）
　刊行物３：特開２００２−２０２１６号公報（原査定の刊行物３）
　刊行物４：香粧品製造学　技術と実際，フレグランスジャーナル社，２００１年８月２５日，第１版第１刷発行，第１８６〜１９９頁
　
（１）刊行物１に記載された事項
［１ａ］「【特許請求の範囲】
【請求項１】  周囲温度で固体である有機構造を持つ少なくとも１つの半結晶性ポリマーによって構造化された少なくとも１つの液状脂肪相を含む生理学的に許容可能な媒体と周囲温度で固体であり少なくとも１種の分散剤を用いて上記媒体に分散させられる粒子を含有してなる組成物。
【請求項２】  固体粒子が該粒子のコロイド状ディスパージョンの形態で媒体中に導入されていることを特徴とする請求項１に記載の組成物。
【請求項３】  分散された粒子は，顔料，真珠光沢剤，フィラー及びその混合物から選択される粒子であることを特徴とする請求項１又は２に記載の組成物。
【請求項４】  固体粒子が着色粒子であることを特徴とする請求項１ないし３の何れか１項に記載の組成物。
【請求項５】  コロイド状ディスパージョンが組成物の全重量の０．５から６０重量％，好ましくは２から４０重量％を占めることを特徴とする請求項２ないし４の何れか１項に記載の組成物。
・・・
【請求項８】  コロイド状ディスパージョンが，周囲温度で液体である，液状脂肪相の一部を構成する脂肪物質を含んでなることを特徴とする請求項２ないし７の何れか１項に記載の組成物。
・・・
【請求項２３】  半結晶性ポリマーが，Ｃ１４−Ｃ２４アルキル基を持つ（メタ）アクリル酸アルキル又は（メタ）アクリル酸アルキルのホモポリマー，及び親水性モノマーとのこれらのモノマーのコポリマー，及びそれらの混合物から選択されることを特徴とする請求項１ないし２１の何れか１項に記載の組成物。
・・・
【請求項２５】  半結晶性ポリマーが，飽和（メタ）アクリル酸Ｃ１４−Ｃ２２アルキルから選択される結晶化可能鎖を含むモノマーから誘導されたことを特徴とする請求項１ないし２４の何れか１項に記載の組成物。
・・・
【請求項４１】  マスカラ，アイライナー，ファンデーション，リップスティック，デオドラント，ボディ用メークアップ製品，アイシャドウ，フェイスパウダー又はコンシーラーの形態で提供されることを特徴とする請求項１ないし４０の何れか１項に記載の組成物。
【請求項４２】  リップスティックの形態で提供されることを特徴とする請求項１ないし４１の何れか１項に記載の組成物。」
　
［１ｂ］「【００２０】・・・本発明のより特定の一実施態様では，ポリマーは，飽和（メタ）アクリル酸Ｃ１４−Ｃ２２アルキルから選択される，結晶化可能鎖を含むモノマーから誘導される。本発明に係る組成物において使用することができる構造化半結晶性ポリマーの特定の例としては，カタログ「Intelimer(登録商標)ポリマー」, Landec IP22 (Rev. 4-97)に記載されているランデック社の製品Intelimer(登録商標)を挙げることができる。これらのポリマーは室温（２５℃）で固体である。」
　
［１ｃ］「【００２５】
液状脂肪相
　好適には，低融点の半結晶性ポリマー及び／又は高融点の半結晶性ポリマーによって構造化された液状脂肪相は組成物の連続相を構成する。この脂肪相は一又は複数の非極性又は極性油又は非極性油と極性油の混合物を含み得る。本発明に係る非極性油は，・・・例えば，イソパラフィンとその誘導体，流動ペトロラタム，ポリデセン，
水添ポリイソブテン，例えば日本油脂から販売されているパーリーム(Parleam(登録商標))（水添イソパラフィン），
　
［１ｄ］「【００２７】固体粒子
　本組成物は更に周囲温度で固体であり，不溶性であり，組成物の生理的に許容可能な媒体，特に構造化された液状脂肪相中に分散剤を使用して分散される粒子を含有する。これらの粒子は有利には「粒状ペースト」として知られるコロイド状ディスパージョンの形態で組成物中に導入される。これらの粒子は顔料，真珠光沢剤，フィラー及びその混合物から選択することができる。これらの粒子は任意の形状，特に球状又は細長い形状，例えば繊維でありうる。それらは好ましくは有色である。「粒状ペースト」という用語は本発明において連続媒体中の粒子の濃縮されたコロイド状ディスパージョンを意味し，その粒子は周囲温度（２５℃）で固体であり，被覆又は非被覆であり，そのディスパージョンは分散剤を使用するか又は場合によっては分散剤を使用しないで界面が安定化されているものである。それらは媒体に不溶性である。コロイド状ディスパージョンは連続媒体中の一般にミクロンサイズ（＜１０μｍ）の粒子の懸濁液である。濃縮されたディスパージョン中の粒子の体積分率は２０％から４０％で，好ましくは３０％を越え，これは粒子のサイズによれば７０％までの範囲をとることができる重量含量に相当する。ペーストの連続媒体は任意の組成を取ることができ，任意の溶媒又は液状脂肪相及びその混合物を含有することができる。好適には，粒状ペーストの液状媒体は，組成物において使用することが望ましい液状脂肪物質又は油の１つであり，液状脂肪相の一部を形成する。
【００２８】媒体中に分散された粒子は，以下に記載されるもののように，無機又は有機粒子又はその混合物から構成され得る。好適には，「粒状ペースト」は被覆されていても被覆されていなくてもよい有色の表面安定化粒子のコロイド状ディスパージョンを含んでなる「顔料ペースト」である。顔料は，白色又は有色，無機及び／又は有機，球状又は非球状でラメラ又は非ラメラであり，被覆又は非被覆でありうる。無機顔料としては，表面が処理されていてもよい二酸化チタン，酸化ジルコニウム又はセリウム，酸化亜鉛，鉄又はクロム（酸化鉄は黒，黄又は赤である），マンガンバイオレット，クロム水和物及びフェリックブルーを挙げることができる。有機顔料としては，カーボンブラック，Ｄ＆Ｃタイプの顔料，及びコチニールカルミンに基づくか又はバリウム，ストロンチウム，カルシウム又はアルミニウムに基づくレーキ類（例えばＤ＆Ｃレッド２７，２１又は７，Ｄ＆Ｃイエロー５又は６，あるいはＦＤ＆Ｃブルー１番）を挙げることができる。顔料は組成物の全重量の活性物質０．１から５０％，特に０．５から３５％，より好ましくは２から２５％を占め得る。
【００２９】真珠光沢顔料（又は真珠光沢剤）は，白色の真珠光沢顔料，例えば，特に酸化チタン又はオキシ塩化ビスマスで被覆されたマイカ，有色の真珠光沢顔料，例えば，酸化鉄を有する酸化チタン被覆マイカ，特に，フェリックブルー又は酸化クロムを有する酸化チタン被覆マイカ，上述した種類の有機顔料を有する酸化チタン被覆マイカ，及びオキシ塩化ビスマスをベースとした真珠光沢顔料又は干渉（interferential）顔料，特に液晶又は多層顔料から選択することができる。これらは組成物の全重量の活性物質０から２５％（０．０５から２５％），より好ましくは０．１から１５％を占め得る（存在する場合）。コロイド状ディスパージョンは好適には組成物の０．１から６０重量％，より好ましくは２から４０％（存在する場合）を占める。
【００３０】分散剤
本発明に係る組成物は，固体粒子とは独立して又は粒子のコロイド状ディスパージョンの形態で加えることができる一又は複数の分散剤を含有する。分散剤は分散された粒子をその凝塊形成又は凝集(フロキュレーション)から保護するものである。固体粒子を（凝集させずに）満足できる状態で分散させ，特に粒子のコロイド状ディスパージョンを安定化させるために一般に使用される分散剤の濃度は０．３から５ｍｇ／ｍ２粒子表面積，好ましくは０．５から４ｍｇ／ｍ２粒子表面積である。この分散剤は界面活性剤，オリゴマー，ポリマー又はこれらの幾つかの混合物で，分散させられる粒子の表面に対して高い親和性を持つ一又は複数の官能性を持つものとできる。特に，それらは分散させられる粒子の表面に物理的又は化学的に結合しうる。また，これらの分散剤は連続な媒体と相容性のあるか連続な媒体に可溶な少なくとも１つの官能基を有する。特に，ポリ(１２-ヒドロキシステアリン酸)のエステル，例えばおよそ７５０ｇ／モルの分子量を持つポリ(１２-ヒドロキシステアリン酸)のステアリン酸エステルで，アヴェシア(Avecia)社からゾルスパース(Solsperse)２１０００なる名称で販売されているもの，グリセロール又はジグリセロールのようなポリオールとのポリ(１２-ヒドロキシステアリン酸)のエステル，例えばジポリヒドロキシステアリン酸ポリグリセリル-２（ＣＦＴＡ名）で，ヘンケル社から参照名デハイマルス(Dehymuls)ＰＧＰＨで販売されているもの（又はポリ(１２-ヒドロキシステアリン酸)ジグリセリル），又は他にポリ(１２-ヒドロキシステアリン酸)，例えばユニケマ(Uniqema)社から参照名アルラセル(Arlacel)Ｐ１００で販売されているものが使用される。本発明の組成物に使用され得る他の分散剤としては，重縮合されている脂肪酸の第４球アンモニウム誘導体，例えばアヴェシア(Avecia)社のゾルスパース(Solsperse)１７０００，又はポリジメチルシロキサン／オキシプロピレン混合物，例えばダウコーニング社から参照名ＤＣ２−５１８５及びＤＣ２−５２２５Ｃで販売されているものが挙げられる。ポリ(１２-ヒドロキシステアリン酸)及びポリ(１２-ヒドロキシステアリン酸)のエステルは好ましくは炭化水素系又はフッ化媒体に対して使用される一方，オキシエチレン／オキシプロピレン化ジメチルシロキサン混合物は好ましくはシリコーン媒体に使用される。」
　
［１ｅ］「【００３８】
【実施例】本発明を次の実施例においてより詳細に例証する。量は質量パーセントで与えられる。
Ｉ）
半結晶性ポリマーの製造例
実施例１：４０℃の融点を持つ酸性ポリマー
【００３９】
実施例２：３８℃の融点を持つ塩基性ポリマー
Ｎ-ビニルピロリドンがアクリル酸の代わりに使用される点以外は実施例１と同じ手順を適用する。得られたポリマーはパーリーム中６０重量％の活性物質量であり，その重量平均分子量Ｍｗは３８０００でそのＭ.ｔ.は３８℃である。
・・・
【００４２】
ＩＩ）組成物の実施例
実施例５：口紅の処方
−  
実施例２のパーリーム中６０％活性物質を含む
９５／５アクリル酸ステアリル／ＮＶＰコポリマー 
−  実施例３のパーリーム中６０％活性物質を含む
アクリル酸ベヘニル／アクリル酸コポリマー          １０．１％
−  顔料ペースト                                  １７．７％
−  
水添イソパラフィン（パーリーム）
調製：ポリマーを１００℃で油の一部に溶解させ，ついで，トリプルロールミルを用いて前もって粉砕した顔料を油相の一部と共に添加した。組み合わせたもの全体を磁気バーを用いて混合した後，口紅のモールドに注いだ。顔料ペーストは４９％の顔料（Ｄ＆Ｃレッド７番＋イエロー６番（アルミニウムレーキ）＋二酸化チタン）と，７．５％のポリ(１２-ヒドロキシステアリン酸)ステアレートと，４３．５％のパーリーム（水添イソパラフィン（６−８モルのイソブチレン））とを含む。・・・得られた口紅は光沢があり，べとつかず，にじまない。このことは，先行技術の光沢ある製品であるランコムのルージュ・アブソル(Rouge Absolu)と，唇の半分ずつに塗布して，専門家パネルの比較官能試験によって確認した。本発明の口紅は全審査員によって先行技術のものよりも適用時に光沢があり，にじみがより少ないと判定された。また，顔料のフロキュレーション又は凝集は観察されなかった。
得られた唇のメークアップは均一で被覆性があった。
【００４３】
実施例６：口紅の処方
−  実施例３のコポリマー                          １２．５％
−  
実施例１のコポリマー
−  顔料ペースト                                  １７．７％
−  
水添イソパラフィン 
顔料ペーストの組成は実施例５のものと同一である。このスティック状の口紅は実施例５におけるようにして調製された。
それは光沢があり，べとつかず，均一で，被覆性があり，にじまない。
・・・
【００４６】
実施例９：口紅の処方
−  
パーリーム中５０％活性物質を含むアクリル酸
ステアリル／アクリル酸(95/5)コポリマー
−  パーリーム中６２．５％活性物質を含むアクリル酸
ベヘニル／Ｎ-ビニルピロリドン(95/5)               ２５％
−  ゾルスパース(Solsperse)２１０００
（ポリ(１２-ヒドロキシステアリン酸)）               ２％
−  顔料                                            ８．６６％
−  
水添イソパラフィン
調製：ポリマーを１００℃で油の一部に溶解させ，ついで，トリプルロールミルを用いて前もって粉砕した顔料を油相の一部と共に添加した。組み合わせたもの全体を磁気バーを用いて混合した後，口紅のモールドに注いだ。顔料ペーストは実施例５と同じである。「チーズワイヤ」法によって測定して２２７ｇｆ±２０ｇｆの硬度を持ち，
にじまず，べとつかず，容易に唇に付着し，つやつやした層を付与する口紅のスティックが得られた。
　　
（２）刊行物２に記載された事項
［２ａ］「【特許請求の範囲】
【請求項１】  ケラチン物質に塗布され且つ熱水で除去され得る皮膜を得るための，生理学的に許容可能な媒体を含む組成物中における，疎水性皮膜形成ポリマー及び熱転移剤の使用であって，前記熱転移剤が，２５℃から８０℃の温度範囲内で選択される転移温度Ttで状態変化することができ，また，前記転移温度Tt未満の温度に維持された水中においては不溶性である使用。
【請求項２】  前記熱転移剤が２５℃から６０℃の範囲内，好ましくは３０℃から６０℃の範囲内，から選択される転移温度Ttを有することを特徴とする，請求項１記載の使用。
【請求項３】  前記熱転移剤が，２５℃から８０℃の範囲の融点を有する結晶又は
半結晶化合物
【請求項４】  前記融点が３０℃から６０℃の範囲であることを特徴とする，請求項３記載の使用。
・・・
【請求項１１】  前記疎水性皮膜形成ポリマーが，フリーラジカルポリマー，重縮合物及び天然由来のポリマー，及びそれらの混合物によって形成される群から選択されることを特徴とする，請求項１から１０のいずれか一項に記載の使用。
【請求項１２】  前記疎水性皮膜形成ポリマーが，ビニルポリマー，ポリウレタン，ポリエステル及びセルロースポリマーによって形成される群から選択されることを特徴とする，請求項１から１１のいずれか一項に記載の使用。
・・・
【請求項１５】  前記疎水性皮膜形成ポリマーが，液体脂肪相中に分散した表面安定化粒子の形態で存在することを特徴とする，請求項１から１２のいずれか一項に記載の使用。
・・・
【請求項４２】  マスカラ，アイライナー，リップ用製品，ほお紅，アイシャドウ，ファンデーション，ボディ用メイクアップ製品，コンシーラー製品，ネイル用製品，抗日焼け組成物，皮膚着色組成物又はスキンケア製品の形態であることを特徴とする，請求項２０から４１のいずれか一項に記載の組成物。」
　　
（３）刊行物３に記載された事項
［３ａ］「【特許請求の範囲】
【請求項１】  生理的に許容される媒体中に，皮膜形成ポリマーと，２５℃乃至８０℃の温度範囲から選ばれる転移温度Ｔｔで状態の変化を受ける熱転移剤とを含む組成物であって，前記熱転移剤は，前記転移温度Ｔｔ未満の温度に保持された水に不溶性であり，かつケラチン物質の温度で，熱水（４０℃）に対する耐性（Ｒｃ）が１５分以下であり，冷水（２０℃）に対する耐性（Ｒｆ）がＲｆ−Ｒｃ≧８分である皮膜を組成物が形成できるために十分な量で前記皮膜形成ポリマーと前記熱転移剤が存在するものである組成物。
・・・
【請求項５】  前記熱転移剤が，２５乃至６０℃，好ましくは３０乃至６０℃の転移温度を有することを特徴とする請求項１乃至４のいずれか１項記載の組成物。
【請求項６】  熱転移剤が，２５乃至８０℃の融点を有する，結晶性又は
半結晶性化合物
【請求項７】  前記融点が，３０乃至６０℃の範囲であることを特徴とする請求項６記載の組成物。
・・・
【請求項１５】  前記皮膜形成ポリマーが，フリーラジカルポリマー，重縮合物，天然由来のポリマー，及びそれらの混合物からなる群より選ばれることを特徴とする請求項１乃至１４のいずれか１項記載の組成物。
【請求項１６】  前記皮膜形成ポリマーが，ビニルポリマー，ポルウレタン，ポリエステル，及びセルロースポリマーからなる群より選ばれることを特徴とする請求項１乃至１５のいずれか１項記載の組成物。
・・・
【請求項１９】  前記皮膜形成ポリマーが，液体脂肪相中に分散された表面安定化粒子の形態で存在することを特徴とする請求項１乃至１６のいずれか１項記載の組成物。
・・・
【請求項２８】  マスカラ，アイライナー，唇用製品，ブラッシャー，アイシャドウ，ファンデーション，ボディ用メイクアップ製品，コンシーラー製品，爪用製品，日焼け止め組成物，皮膚着色組成物又はスキンケア製品の形態であることを特徴とする請求項１乃至２７のいずれか１項記載の組成物。」
　　
（４）刊行物４に記載された事項　
［４ａ］「口紅に求められる品質は，基本品質と嗜好品質に分けられる。・・・嗜好品質は，『色調』『使用感』『機能』等概ね３つに分類され，『色調』として，自分にあって，好きな色，発色のよいこと等，『使用感』として，つやがあるもの・のびつきの良いもの，クレンジングが簡単・潤いがある等，『機能』として，トリートメント効果・色落ちしにくい・色移りしない・にじまない等である。」（第１８６頁最終行〜第１８７頁第６行）
　
［４ｂ］「２．原料の種類と選択
　口唇化粧品に使用される原料は『色調』を演出する粉体原料（着色剤）と『使用感』に影響の大きい油性原料に分類される。なお，『機能』は粉体原料，油性原料の工夫によって作り出される。
２−１．粉体原料
　使用される代表的粉体原料（着色剤）を表２に示す。
　粉体原料は体質顔料・白色顔料・有色顔料・真珠光沢顔料等に分類できる。
」（第１８７頁第１０〜最終行）
　
［４ｃ］「口紅００７（表１２）は非水系ポリマーデスパージョンを配合し色移りしない処方例である。」（第１９７頁第１８〜１９行）
　
［４ｄ］
「
」（第１９８頁）
　　
３　対比・判断
（１）刊行物１記載の発明
　上記の記載（特に［１ｅ］の実施例５，６，９）によれば，刊行物１には，以下の発明（以下，「刊行物１発明」という。）が記載されていると認められる。
「アクリル酸ステアリルと，アクリル酸またはＮ−ビニルピロリドンとのコポリマー，および水添イソパラフィン（パーリーム）を含む口紅組成物。」
　
（２）本願補正発明と刊行物１発明との対比
ア　刊行物１発明の「アクリル酸ステアリルと，アクリル酸またはＮ−ビニルピロリドンとのコポリマー」は，特に摘記事項［１ｅ］の記載からみて，融点が40℃または38℃の半結晶性重合体であって，本願補正発明の「融点が30℃以上の少なくとも1種の有機構造の半結晶性重合体」である「ポリアクリル酸ステアリル」とは，「融点が30℃以上の少なくとも1種の有機構造の半結晶性重合体」である点で共通する。
　
イ　刊行物１発明の「水添イソパラフィン（パーリーム）」は，「液状脂肪相」であり「水添ポリイソブテン」と同義である（摘記事項［１ｃ］参照）。
　そして，本願当初明細書【０１７３】には「炭化水素ベースの不揮発性非極性油」として「水素化ポリイソブテン」が列記されているから，上記「水添イソパラフィン（パーリーム）」は，本願補正発明の「揮発性油を含まない」「脂肪相」に相当する。
　　
ウ　刊行物１発明の「口紅組成物」は，本願補正発明の「化粧品用組成物」に相当する。
　
　以上のことを総合すると，両発明は，「揮発性油を含まない脂肪相と，融点が30℃以上の少なくとも1種の有機構造の半結晶性重合体とを含む化粧品用組成物」という点で一致し，次の相違点を有する。
（相違点１）
　「融点が30℃以上の少なくとも1種の有機構造の半結晶性重合体」が，本願補正発明では「ポリアクリル酸ステアリル」というホモポリマーであるのに対し，刊行物１発明は「アクリル酸ステアリルと，アクリル酸またはＮ−ビニルピロリドンとのコポリマー」である点。
（相違点２）
　本願補正発明では脂肪相中に分散させた「少なくとも1種の重合体の粒子」を含むのに対し，刊行物１発明は重合体粒子を含まない点。
　　
（３）相違点についての検討
ア　相違点１について
　上記摘記事項［１ａ］の特に請求項２３および［１ｂ］の記載からみて，半結晶性ポリマーとして，（メタ）アクリル酸Ｃ１４−Ｃ２４アルキルのホモポリマーと，該モノマーと親水性モノマーとのコポリマーとは同等に選択し得るものであるから，刊行物１発明に係る「アクリル酸ステアリルと，アクリル酸またはＮ−ビニルピロリドンとのコポリマー」に代えて，「アクリル酸ステアリルからなるホモポリマー」を配合することは，当業者が容易になし得ることである。
　
イ　相違点２について
　刊行物２および３には，唇用製品等としても適用可能な化粧料組成物に，液体脂肪相中に分散させたビニルポリマー等の重合体粒子を配合する旨が記載されており，さらに上記組成物は半結晶性化合物も配合し得るものである。
　さらに，例えば刊行物４に記載されているように，ビニルポリマー等の重合体粒子は，口紅の「色調」を演出するための代表的な粉体原料（着色剤）であり，摘記事項［４ｃ］〜［４ｄ］の口紅の処方例から鑑みても，ポリアクリル酸アルキル（メチルメタクリレートモノマー，エチルアクリレートモノマー）は，本願優先権主張日前には汎用されていた周知成分といえる。
　したがって，刊行物１発明に係る口紅組成物において，汎用の粉体原料であるところの重合体粉体を添加することは，当業者が容易になし得ることである。
　
　本願補正発明に係る効果を検討する。
　刊行物１発明の口紅組成物は，既存の市販製品と比較しても，にじみ，べとつきの点でより優れた効果を達成するもので（摘記事項［１ｅ］参照），さらに，口紅製品には，色落ちしにくい・色移りしない・にじまないという嗜好品質が，通常的に訴求されている（摘記事項［４ａ］参照）。
　本願発明に係る，口紅も含むところの化粧品用組成物は，特に実施例組成物の奏する効果として「1時間塗布した後，非晶質重合体を含む配合物が，唇の輪郭の外に移動することが明らかになった。」（【０２５３】），「半結晶性重合体をそれぞれ含む実施例1および2の被膜も，ポリラウリル酸ビニルを含む配合物の被膜より粘着性が低いと判定されている。」（【０２５４】），「半結晶性重合体と主に不揮発性油を含む脂肪相に分散させた粒子とを含む配合物は，非晶質重合体を含む配合物と比較すると，インビトロでの持続力(水および油に対する耐性)が改善されており，また，化粧品用の性能品質がより良い(非粘着性で経時的な移動が限られている)。」（【０２５７】）と記載されているように，上記組成物の効果が主に半結晶性重合体の配合に依拠しているといえる。
　したがって，半結晶性重合体を配合する刊行物１発明の口紅組成物は，本願発明と同様の効果を達成するものと認められる。
　
４　むすび
　したがって，本願補正発明は，刊行物１〜３に記載された発明及び周知技術に基づいて当業者が容易に発明をすることができたものであるから，特許法第２９条第２項の規定により，特許出願の際独立して特許を受けることができないものである。
　以上のとおり，本件補正は，平成１８年法律第５５号改正附則第３条第１項によりなお従前の例によるとされる同法による改正前の特許法第１７条の２第５項において準用する同法第１２６条第５項の規定に違反するので，同法第１５９条第１項において読み替えて準用する同法第５３条第１項の規定により却下すべきものである。
　
第３　本願発明について
１　本願発明
　平成１９年１２月２８日付けの手続補正は上記のとおり却下されたので，本願請求項１〜１６に係る発明は，平成１９年７月３０日付けの誤訳訂正書により補正された明細書の特許請求の範囲請求項１〜１６に記載された事項により特定されるとおりのものであり，その請求項１に係る発明（以下，同項記載の発明を「本願発明」という。）は，下記の事項により特定される発明である。
「少なくとも1種の脂肪相と，前記脂肪相に分散させた少なくとも1種の重合体の粒子の分散体と，融点が30℃以上の少なくとも1種の有機構造の半結晶性重合体とを含む化粧品用組成物であって，前記脂肪相が揮発性油を含まない，あるいは前記脂肪相の重量に対して揮発性油を50重量%未満含むこと，および，
前記半結晶性重合体が，ポリエステル縮合重合体，または，C14〜C24の飽和アルキル(メタ)アクリル酸エステル，C11〜C15のペルフルオロアルキル(メタ)アクリル酸エステル，フッ素原子を含むあるいは含まないC14〜C24のN-アルキル-(メタ)アクリルアミド，C14〜C24のアルキル鎖もしくはペルフルオロアルキル鎖を含むビニルエステル，C14〜C24のアルキル鎖もしくはペルフルオロアルキル鎖を含むビニルエーテル，C14〜C24のα-オレフィン，12〜14個の炭素原子を含むアルキル基を有するpara-アルキルスチレンから選択される，少なくとも1種の単量体の重合によって生じる単独重合体もしくは共重合体であることを特徴とする化粧品用組成物。」
　
２　引用刊行物およびその記載事項
　原査定の拒絶の理由に引用された引用刊行物１〜３およびその記載事項は，上記「第２　２」に記載のとおりである。
　
３　対比・判断
　本願発明は，前記「第２」で検討した本願補正発明から「脂肪相」および「半結晶性重合体」との特定事項について，その成分の限定を解除するものである。
　そうすると，本願発明の構成要件を全て含み，さらに他の構成要件を付加したものに相当する本願補正発明が，前記「第２　３」に記載したとおり，刊行物１〜３に記載された発明及び周知技術に基づいて当業者が容易に発明をすることができたものであるから，本願発明も，同様の理由により，刊行物１〜３に記載された発明及び周知技術に基づいて当業者が容易に発明をすることができたものである。
　
　なお，平成２３年４月１９日付けの回答書における補正案についても検討する。
　補正案の請求項１に係る発明は， 
 「少なくとも1種の脂肪相と，前記脂肪相に分散させた少なくとも1種の重合体の粒子の分散体と，融点が30℃以上の少なくとも1種の有機構造の半結晶性重合体とを含む化粧品用組成物であって， 
 前記脂肪相が揮発性油を含まないこと， 
 前記半結晶性重合体が，ポリアクリル酸ステアリルであること，ならびに 
 前記少なくとも1種の重合体が，2000g/mol〜10000000g/molの分子量および-50℃〜100℃のTgを有することを特徴とする化粧品用組成物。」であり，粒子を構成する重合体の分子量範囲およびガラス転移温度範囲を規定するものである。
　しかしながら，上記の数値範囲の規定は広範なものであり，一般的な重合体はこの範囲に含まれるものである。刊行物２〜３には，重合体の分子量は明記されていないが，一般的な重合体の分子量程度のものと理解されるから，刊行物２〜３に記載された重合体粒子が，上記数値範囲により規定された「重合体」の概念内に包含されることは明らかである。
　その他の構成要件については，上記「第２　３」で述べたとおりである。
　
４　むすび
　以上のとおり，本願発明は，刊行物１〜３に記載された発明及び周知技術に基づいて当業者が容易に発明をすることができたものであるから，特許法第２９条第２項の規定により特許を受けることができない。
　したがって，その他の請求項に係る発明についての判断を示すまでもなく本願は拒絶すべきものである。
　よって，結論のとおり審決する。